(57)【要約】      （修正有）【課題】電気コネクタを用いることなく、必要に応じてトランスポンダの内部と外部との間で通信が行える光伝送装置を提供する。【解決手段】光伝送システムを構成する光伝送装置１０において、前記装置１０の内部と外部との間で通信を行うための赤外線通信手段を、一つあるいは複数設ける。また、赤外線通信手段を介して、前記装置１０のファームウェアの更新、前記装置１０の内部メモリへのアクセス、前記装置１０のログデータ確認、前記装置１０内部信号のモニタ、の少なくともいずれかを行う。【選択図】図１
2012060302.tif 000002
【特許請求の範囲】
【請求項１】
光伝送システムを構成する光伝送装置において、
前記装置の内部と外部との間で通信を行うための赤外線通信手段、
を設けたことを特徴とする光伝送装置。
【請求項２】
前記赤外線通信手段は、複数系統設けられていることを特徴とする請求項１記載の光伝送装置。
【請求項３】
前記赤外線通信手段を介して、前記装置のファームウェアの更新、前記装置の内部メモリへのアクセス、前記装置のログデータ確認、前記装置内部信号のモニタ、の少なくともいずれかを行うことを特徴とする請求項１または請求項２に記載の光伝送装置。
【発明の詳細な説明】
【技術分野】
【０００１】
本発明は、光伝送装置に関し、詳しくは、装置内部と外部との通信の改良に関する。
【背景技術】
【０００２】
大容量光伝送システムの構築に好適な光伝送装置として、非特許文献１に記載されているようなトランスポンダが実用化されている。
【０００３】
図３は、非特許文献１に記載されている従来のトランスポンダのブロック図である。図３において、トランスポンダ１０には、業界規格であるＭＳＡ(Multi Source Agreement)に準拠した３００ピンの電気コネクタ１１が設けられていて、この電気コネクタ１１を介してユーザー機器２０や外部端末３０との間で信号の授受が行われる。ＭＳＡでは、電気コネクタ１１における主信号、電源、Ｉ2Ｃ（Inter-Integrated Circuit）、アラーム、モニタなどの端子のピン配置があらかじめ割り当てられている。その他使用されていない端子ピンは、ＮＵＣ(No User Connect)、ＦＦＵ(Reserved for Future Use)となっており、通常は使用されない。
【０００４】
また、電気コネクタ１１には、コントローラ１２と、シリアライザ１３と、デシリアライザ１４が接続されている。
【０００５】
コントローラ１２は、トランスポンダ１０内部の制御や、トランスポンダ１０とユーザー機器２０との間に接続される図示しない外部インタフェースのＩ2Ｃ通信の制御などを行う。なお、コントローラ１２には制御用メモリ１５が接続されていて、この制御用メモリ１５にはコントローラ１２が使用するプログラムや設定値などが格納される。
【０００６】
シリアライザ１３は、電気コネクタ１１から入力されるＳＦＩ(Serdes Framer Interface)４/５の規格に準拠した１６ビットのパラレル電気信号をシリアル電気信号に変換し、光送信モジュール１６へ出力する。なお、光送信モジュール１６は、シリアライザ１３から入力されるシリアル電気信号を光信号に変換して外部へ出力する。
【０００７】
デシリアライザ１４は、光受信モジュール１７から入力されるシリアル電気信号をＳＦＩ４/５の規格に準拠した１６ビットのパラレル電気信号に変換し、電気コネクタ１１に出力する。なお、光受信モジュール１７は、外部から入力される光信号をシリアル電気信号に変換してデシリアライザ１４に出力する。
【０００８】
ユーザー機器２０は、トランスポンダ１０の利用にあたってベンダにより接続される機器である。電気コネクタ１１を介して、トランスポンダ１０との間で、ＳＦＩ４/５の規格に準拠した１６ビットのパラレル電気信号、電源、Ｉ2Ｃ、アラーム、モニタ信号などを含む各種信号の授受を行う。
【０００９】
外部端末３０は、トランスポンダ１０のメーカーにより、製造、デバッグ時、ユーザー先でのサポート作業など必要に応じて接続される機器である。トランスポンダ１０のメーカーは、製品の差別化を行うために、電気コネクタ１１のＮＵＣやＦＦＵに独自に信号を割り当ててトランスポンダ１０の内部と通信を行い、たとえばコントローラ１２のファームウェアをアップデートしたり、制御用メモリ１５に直接アクセスしたり、コントローラ１２のログを確認したり、ＭＳＡでは規定されていないアラームやトランスポンダ１０の内部信号を直接モニタすることができる。
【先行技術文献】
【非特許文献】
【００１０】
【非特許文献１】太田  篤伸、外３名、「長距離光伝送システム向け４３Ｇｇｐｓ  ＲＺ−ＤＱＰＳＫトランスポンダ」、横河技報、横河電機株式会社、２００８年９月２０日、Ｖｏｌ．５２  Ｎｏ．３（２００８）  ｐ．５−８
【発明の開示】
【発明が解決しようとする課題】
【００１１】
しかし、トランスポンダ１０のメーカーが独自に割り当てる信号は、電気コネクタ１１の通常使用されないＮＵＣやＦＦＵを利用するため、トランスポンダ１０を利用する一部のベンダ（ユーザー）も同様にＮＵＣやＦＦＵを利用するように設計すると、最悪の場合には、信号の衝突や短絡が発生し、トランスポンダ１０の本体やユーザー機器２０を破壊したり、意図しない入力により誤動作の原因となってしまうことがある。
【００１２】
本発明は、このような課題を解決するもので、その目的は、電気コネクタ１１を用いることなく、必要に応じてトランスポンダ１０の内部と外部との間で通信が行える光伝送装置を提供することにある。
【課題を解決するための手段】
【００１３】
このような課題を達成するために、本発明のうち請求項１記載の発明は、
光伝送システムを構成する光伝送装置において、
前記装置の内部と外部との間で通信を行うための赤外線通信手段、
を設けたことを特徴とする。
【００１４】
請求項２記載の発明は、
請求項１記載の光伝送装置において、
前記赤外線通信手段は、複数系統設けられていることを特徴とする。
【００１５】
請求項３記載の発明は、
請求項１または請求項２記載の光伝送装置において、
前記赤外線通信手段を介して、前記装置のファームウェアの更新、前記装置の内部メモリへのアクセス、前記装置のログデータ確認、前記装置内部信号のモニタ、の少なくともいずれかを行うことを特徴とする。
【発明の効果】
【００１６】
これらにより、必要に応じて、赤外線通信手段を介して、光伝送システムにおける光伝送動作に影響を与えることなく、光伝送装置の内部と外部との間で通信を行うことができる。
【図面の簡単な説明】
【００１７】
【図１】本発明の一実施例を示すブロック図である。
【図２】本発明の他の実施例を示すブロック図である。
【図３】非特許文献１に記載されている従来のトランスポンダのブロック図である。
【発明を実施するための最良の形態】
【００１８】
以下、本発明の実施の形態について、図面を用いて詳細に説明する。図１は本発明の一実施例を示すブロック図であり、図３と共通する部分には同一の符号を付けている。図１において、トランスポンダ１０の一方の側面には、赤外線発光部１８と赤外線受光部１９がこれらの発光面と受光面が同一面を形成するように設けられている。
【００１９】
そして、これら同一面を形成する赤外線発光部１８の発光面および赤外線受光部１９の受光面と対向するように、トランスポンダ１０の外部には赤外線トランシーバ４０が設けられている。外部端末３０は、この赤外線トランシーバ４０と赤外線発光部１８および赤外線受光部１９を介してトランスポンダ１０と接続されることになる。
【００２０】
赤外線発光部１８は、コントローラ１２でＩｒＤＡ（Infrared Data Association）方式に対応するようにエンコードされた電気信号を赤外線に変換し、トランスポンダ１０の外部に出力する。
【００２１】
赤外線受光部１９は、トランスポンダ１０の外部から入射される赤外線を受光して電気信号へ変換し、コントローラ１２に出力する。
【００２２】
赤外線トランシーバ４０は、外部端末３０から入力される電気信号をＩｒＤＡ方式の信号にエンコードして赤外線信号に変換することにより赤外線受光部１９に入射するとともに、赤外線発光部１８から照射される赤外線信号を受光して電気信号に変換しデコードした信号を外部端末３０に出力する。
【００２３】
図１で付加された赤外線関連部分の動作を中心に説明する。
外部端末３０からたとえばＵＡＲＴ(Universal Asynchronous Receiver Transmitter、汎用非同期送受信回路)に基づく電気信号が赤外線トランシーバ４０に入力されると、赤外線トランシーバ４０は入力された電気信号をＩｒＤＡ方式に対応したたとえばＩｒＣＯＭＭ規格のようなプロトコルに変換して赤外線として発光出力する。
【００２４】
赤外線トランシーバ４０から発光出力される赤外線は、赤外線受光部１９で受光されて電気信号に変換された後コントローラ１２に入力され、コントローラ１２でデコードされて外部端末３０からの命令が実行される。
【００２５】
外部端末３０からの命令に基づく実行結果は、コントローラ１２でＩｒＤＡ方式に対応したたとえばＩｒＣＯＭＭ規格のようなプロトコルに変換され、赤外線発光部１８から赤外線として発光出力される。
【００２６】
赤外線発光部１８から発光出力される赤外線は、赤外線トランシーバ４０でＩｒＤＡ方式に対応したたとえばＩｒＣＯＭＭ規格のようなプロトコルから外部端末３０で受信できるたとえばＵＡＲＴに基づく電気信号に変換され、外部端末３０に出力される。
【００２７】
このように構成することにより、従来、トランスポンダ１０のメーカーがＭＳＡに準拠した３００ピンの電気コネクタ１１のＮＵＣ、ＦＦＵ端子ピンに割り当てていた前述のようなコントローラ１２のファームウェアをアップデートしたり、制御用メモリ１５に直接アクセスしたり、コントローラ１２のログを確認したり、ＭＳＡでは規定されていないアラームやトランスポンダ１０の内部信号を直接モニタするための独自の信号をＩｒＤＡ方式の信号に置き換えることができ、電気コネクタ１１のＮＵＣ、ＦＦＵ端子ピンを完全にＭＳＡに準拠した状態に戻すことができる。
【００２８】
トランスポンダ１０のメーカーは、ＭＳＡに準拠した３００ピンの電気コネクタ１１のＮＵＣ、ＦＦＵ端子ピンにメーカー独自の信号を割り当てる必要がないので、これらの端子ピンを完全にＯＰＥＮにすることができる。これにより、トランスポンダ１０を利用するベンダがこれらＮＵＣやＦＦＵの端子ピンになんらかの信号を割り当てたとしても、従来のようにトランスポンダ１０の動作に悪影響を及ぼすおそれはなくなる。
【００２９】
また、従来のようにＭＳＡに準拠した３００ピンの電気コネクタ１１のＮＵＣ、ＦＦＵ端子ピンにメーカー独自の信号を割り当てた場合には、そのトランスポンダ１０がベンダの装置に実装された状態ではそれらの割り当てた信号を利用することができなかったが、本発明のように赤外線通信を用いることにより、トランスポンダ１０がベンダの装置に実装された状態でも利用することができる。
【００３０】
また、赤外線通信を用いることにより、電波を使った通信に比べて、通信に起因する周辺機器に対する影響を大幅に軽減できる。
【００３１】
さらに、赤外線通信の場合は通信範囲がかなり限定されるので、トランスポンダ１０が複数台ある場合でも、トランスポンダ１０を識別するための特別な設定を付加することなく個々のトランスポンダ１０に対する個別の通信が行える。
【００３２】
図２は、本発明の他の実施例を示すブロック図である。図２の実施例では、赤外線発光部１８と赤外線受光部１９を、破線で示すように、トランスポンダ１０の外周の異なる側面に複数組設けている。
【００３３】
図２のように構成することにより、トランスポンダ１０の現場での使用状況によってはいずれかの赤外線発光部１８と赤外線受光部１９の組の発光面と受光面が障害物などで遮られても、他の赤外線発光部１８と赤外線受光部１９の組を用いて安定した状態で赤外線通信を行うことができる。
【００３４】
以上説明したように、本発明によれば、従来のような電気コネクタを用いることなく、赤外線通信手段を用いて、必要に応じてトランスポンダの内部と外部との間で通信が行える光伝送装置が実現できる。
【符号の説明】
【００３５】
１０  光伝送装置（トランスポンダ）
１８  赤外線発光部
１９  赤外線受光部
２０  ユーザー機器
３０  外部端末
４０  赤外線トランシーバ
【図１】
2012060302.tif 000003
【図２】
2012060302.tif 000004
【図３】
2012060302.tif 000005